(57)【要約】      （修正有）【課題】使用者がエンボス部によって示す情報をより把握し易い吸収性物品を提供する。【解決手段】吸収性物品は、互いに直交する前後方向及び幅方向と、吸収コア３１と、吸収コアよりも肌面側に配置されたトップシート１０と、少なくともトップシートと吸収コアを厚さ方向に圧縮したエンボス部６０と、を有する。エンボス部６０は、線状に延びる線エンボス部と、文字、記号及び絵柄の少なくなくともいずれかを含む図柄によって吸収性物品の情報を示す図柄エンボス部と、を備える。線エンボス部は、図柄エンボス部によって示す情報に関連する関連図柄の形状を有する。【選択図】図１
0003219701.tif 000002
【実用新案登録請求の範囲】
【請求項１】
互いに直交する前後方向及び幅方向と、
吸収コアと、
前記吸収コアよりも肌面側に配置されたトップシートと、
少なくとも前記トップシートと前記吸収コアを厚さ方向に圧縮したエンボス部と、を有する吸収性物品であって、
前記エンボス部は、線状に延びる線エンボス部と、文字、記号及び絵柄の少なくなくともいずれかを含む図柄によって前記吸収性物品の情報を示す図柄エンボス部と、を備え、
前記線エンボス部は、前記図柄エンボス部によって示す情報に関連する関連図柄の形状を有する、吸収性物品。
【請求項２】
前記図柄エンボス部は、平面視にて、前記線エンボス部内に配置されている、請求項１に記載の吸収性物品。
【請求項３】
前記図柄エンボス部の深さと、前記線エンボス部の深さと、は、異なる、請求項２に記載の吸収性物品。
【請求項４】
前記図柄エンボス部は、前記線エンボス部の底面に形成された高圧搾部である、請求項３に記載の吸収性物品。
【請求項５】
前記図柄エンボス部の前記図柄は、間隔を空けて複数配置されており、
前記トップシートの繊維の繊維長は、前記図柄間の間隔よりも長い、請求項１から請求項４のいずれか１項に記載の吸収性物品。
【請求項６】
前記図柄エンボス部の前記図柄は、前記図柄の左右方向において隣り合うように複数配置されており、
前記線エンボス部は、前記左右方向に沿って延びている、請求項２から請求項４のいずれか１項に記載の吸収性物品。
【請求項７】
前記図柄エンボス部の前記図柄は、前記図柄の上下方向において隣り合うように配置されており、
前記線エンボス部は、前記上下方向に沿って延びている、請求項２から請求項４のいずれか１項に記載の吸収性物品。
【請求項８】
前記図柄エンボス部の前記図柄の最大長さは、１ｍｍ以上３ｍｍ以下である、請求項１から請求項７のいずれか１項に記載の吸収性物品。
【請求項９】
前記トップシートは、コットン繊維を含み、
前記図柄エンボス部は、前記コットン繊維に関連する情報を示す、請求項１から請求項８のいずれか１項に記載の吸収性物品。
【請求項１０】
前記トップシートは、熱可塑性繊維も含む、請求項９に記載の吸収性物品。
【請求項１１】
前記線エンボス部は、前記線エンボス部が延びる延出方向と、前記延出方向と直交する直交方向と、を有し、
前記直交方向に沿った断面において、前記線エンボス部は、底部と、前記底部の一端から肌面側に延びる第１壁部と、前記底部の他端から肌面側に延びる第２壁部と、を有し、
前記第１壁部と前記底部とがなす第１角度は、前記第２壁部と前記底部とがなす第２角度よりも大きい、請求項１から請求項１０のいずれか１項に記載の吸収性物品。
【請求項１２】
前記吸収性物品の前記前後方向の中心を跨いで配置された中央領域と、前記中央領域よりも前側に位置する前側領域と、前記中央領域よりも後側に位置する後側領域と、を有し、
前記中央領域には、前記幅方向に間隔を空け、かつ前記前後方向に延びる一対の前後エンボス部が設けられ、
前記前側領域及び前記後側領域には、前記線エンボス部と前記図柄エンボス部が設けられており、
前記線エンボス部及び前記図柄エンボス部は、前記前後エンボス部の前記前後方向の端縁から前記前後方向に延びる仮想線上に配置されている、請求項１から請求項１１のいずれか１項に記載の吸収性物品。
【請求項１３】
前記後側領域における前記エンボス部の最大寸法は、前記前側領域の前記エンボス部の最大寸法よりも大きい、請求項１２に記載の吸収性物品。
【考案の詳細な説明】
【技術分野】
【０００１】
本考案は、吸収性物品の情報を示すエンボス部を有する吸収性物品に関する。
【背景技術】
【０００２】
特許文献１には、吸収コアと、吸収コアよりも肌面側に配置されたトップシートと、少なくともトップシートと吸収コアを厚さ方向に圧縮したエンボス部と、を有し、エンボス部によって吸収性物品の情報を示す吸収性物品が開示されている。特許文献１のエンボス部は、絵柄又は記号の外形を有しており、当該外形によって吸収性物品の情報を示している。
【先行技術文献】
【特許文献】
【０００３】
【特許文献１】特開２０１２−１１５３４３号公報
【考案の概要】
【考案が解決しようとする課題】
【０００４】
特許文献１の吸収性物品は、エンボス部よって情報を表示しており、経血などの体液を吸収することによってエンボス部による情報が目立ちやすい。しかし、エンボス部の外形によって情報を表示しているため、エンボス部の全体に体液が拡散しない状態では、使用者が情報を把握し難いおそれがあった。
【０００５】
よって、使用者がエンボス部によって示す情報をより把握し易い吸収性物品が望まれる。
【課題を解決するための手段】
【０００６】
一態様に係る吸収性物品は、互いに直交する前後方向及び幅方向と、吸収コアと、前記吸収コアよりも肌面側に配置されたトップシートと、少なくとも前記トップシートと前記吸収コアを厚さ方向に圧縮したエンボス部と、を有する吸収性物品であって、前記エンボス部は、線状に延びる線エンボス部と、文字、記号及び絵柄の少なくなくともいずれかを含む図柄によって前記吸収性物品の情報を示す図柄エンボス部と、を備え、前記線エンボス部は、前記図柄エンボス部によって示す情報に関連する関連図柄の形状を有する。
【図面の簡単な説明】
【０００７】
【図１】図１は、肌面側から見た実施形態に係る吸収性物品の平面図である。
【図２】図２は、図１に示すＦ−Ｆ線に沿った断面図である。
【図３】図３は、図１に示すＡ部分の拡大図である。
【図４】図４は、図１に示すＢ部分の拡大図である。
【図５】図５は、図４に示すＣ−Ｃ線に沿った断面図である。
【図６】図６は、図４に示すＤ−Ｄ線に沿った断面図である。
【考案を実施するための形態】
【０００８】
（１）実施形態の概要
本明細書及び添付図面の記載により、少なくとも以下の事項が明らかとなる。
一態様に係る吸収性物品は、互いに直交する前後方向及び幅方向と、吸収コアと、前記吸収コアよりも肌面側に配置されたトップシートと、少なくとも前記トップシートと前記吸収コアを厚さ方向に圧縮したエンボス部と、を有する吸収性物品であって、前記エンボス部は、線状に延びる線エンボス部と、文字、記号及び絵柄の少なくなくともいずれかを含む図柄によって前記吸収性物品の情報を示す図柄エンボス部と、を備え、前記線エンボス部は、前記図柄エンボス部によって示す情報に関連する関連図柄の形状を有する。
【０００９】
吸収性物品に排出された体液は、エンボス部に導かれ、エンボス部内を拡散しつつ吸収コアに導かれる。このとき、線エンボス部に体液が到達すると、線エンボス部内を体液が拡散する。線エンボス部の外形によって吸収性物品の情報を示すことができる。体液がエンボス部内を徐々に拡散する課程では、情報を段階的に示すことができ、使用者の興味や注意を引くことができる。また、図柄エンボス部に体液が到達すると、図柄エンボス部の図柄が目立ち、吸収性物品の情報を直ぐに示すことができる。よって、エンボス部の全体に体液が拡散せずに、全てのエンボス部が目立たない状態であっても、図柄エンボス部が目立たったり、線エンボス部が徐々に目立ったりして、使用者がエンボス部によって示す情報をより把握し易い。
【００１０】
好ましい一態様によれば、前記図柄エンボス部は、平面視にて、前記線エンボス部内に配置されてよい。
【００１１】
線エンボス部内を体液が拡散する課程で、図柄エンボス部に体液を導くことができる。線エンボス部の全体に亘って体液が導かれない場合であっても、線エンボス部内の図柄エンボス部によって情報を示すことができ、使用者がエンボス部よって示す情報をより把握し易い。
【００１２】
好ましい一態様によれば、前記図柄エンボス部の深さと、前記線エンボス部の深さと、は、異なってよい。
【００１３】
線エンボス部の深さと図柄エンボス部の深さとが異なるため、奥行き感が生じ、使用者の興味や注意を引くことができる。また、線エンボス部内に図柄エンボス部が配置される形態にあっては、線エンボス部全体に亘って体液が拡散した場合であっても、線エンボス部と図柄エンボス部とを区別して示しやすく、図柄エンボス部を目立たせることができ、図柄エンボス部によって示す情報を使用者がより把握し易い。
【００１４】
好ましい一態様によれば、前記図柄エンボス部は、前記線エンボス部の底面に形成された高圧搾部であってよい。
【００１５】
図柄エンボス部が高圧搾部であるため、線エンボス部から図柄エンボス部に体液を引きこみ易く、図柄エンボス部に体液をより導き、図柄エンボス部を目立たせることができる。
【００１６】
好ましい一態様によれば、前記図柄エンボス部の図柄は、間隔を空けて複数配置されており、前記トップシートの繊維の繊維長は、前記図柄間の間隔よりも長くてよい。
【００１７】
トップシートの繊維によって体液を拡散し、複数の図柄に体液を導くことができる。複数の図柄に体液を導くことにより、図柄全体によって１つの情報を示す場合であっても、当該情報を使用者に示すことができる。
【００１８】
好ましい一態様によれば、前記図柄エンボス部の図柄は、前記図柄の左右方向において隣り合うように複数配置されており、前記線エンボス部は、前記左右方向に沿って延びてよい。
【００１９】
線エンボス部に導かれた体液は、線エンボス部が延びる方向に拡散する。体液の拡散方向に沿って、図柄が並んでいるため、図柄エンボス部による文字等の全体に体液を導き易い。また、線エンボス部に沿って図柄が左右方向に並んでいるため、図柄エンボス部の図柄による文字などを使用者が把握し易くなる。
【００２０】
好ましい一態様によれば、前記図柄エンボス部の図柄は、前記図柄の上下方向において隣り合うように配置されており、前記線エンボス部は、前記上下方向に沿って延びてよい。
【００２１】
線エンボス部に導かれた体液は、線エンボス部が延びる方向に拡散する。体液の拡散方向に沿って、図柄が並んでいるため、図柄エンボス部による文字等の全体に体液を導き易い。また、線エンボス部に沿って図柄が上下方向に並んでいるため、図柄エンボス部の図柄による文字などを使用者が把握し易くなる。
【００２２】
好ましい一態様によれば、前記図柄エンボス部の前記図柄の最大長さは、１ｍｍ以上３ｍｍ以下であってよい。
【００２３】
図柄は、最大長さが１ｍｍ以上３ｍｍであるため、使用者は、小さい図柄を一見して視認し難い。しかし、一見して気づき難い分、気づいた際の喜びや印象が強くなり易い。その結果、吸収性物品としての生理用ナプキンにあっては、使用者の生理の不快感を低減できる。
【００２４】
好ましい一態様によれば、前記トップシートは、コットン繊維を含み、前記図柄エンボス部は、前記コットン繊維に関連する情報を示してよい。
【００２５】
肌に触れるトップシートの素材をトップシート上の図柄エンボス部によって表示できる。使用者は、視覚による図柄の情報と、触覚によるトップシートの触り心地と、によってコットン繊維を有する吸収性物品であることを把握できる。
【００２６】
好ましい一態様によれば、前記トップシートは、熱可塑性繊維も含んでよい。
【００２７】
コットン繊維と熱可塑性繊維を有するトップシートにエンボス部を形成すると、熱可塑性繊維が融着し、かつコットン繊維が融着しないため、繊維が融着した部分と融着していない部分とが形成される。エンボス部内に融着の有無による凹凸が形成され、エンボス部を目立たせ、使用者がエンボス部よって示す情報をより把握し易くなる。
【００２８】
好ましい一態様によれば、前記線エンボス部は、前記線エンボス部が延びる延出方向と、前記延出方向と直交する直交方向と、を有し、前記直交方向に沿った断面において、前記線エンボス部は、底部と、前記底部の一端から肌面側に延びる第１壁部と、前記底部の他端から肌面側に延びる第２壁部と、を有し、前記第１壁部と前記底部とがなす第１角度は、前記第２壁部と前記底部とがなす第２角度よりも大きくてよい。
【００２９】
第１角度と第２角度が異なっており、体液吸収時における第１壁部側の濃さと第２壁部側の濃さとが異なる。具体的には、第１壁部側は、第１角度が大きく、第１壁部と底部の間により体液が集まり易く、平面視にて濃くなり易い。線エンボス部の第１壁部側の濃さと第２壁部側の濃さとが異なるため、線エンボス部内で陰影ができる。線エンボス部を目立たせるとともに、線エンボス部内の図柄エンボス部をより目立たせることができる。
【００３０】
好ましい一態様によれば、前記吸収性物品の前後方向の中心を跨いで配置された中央領域と、前記中央領域よりも前側に位置する前側領域と、前記中央領域よりも後側に位置する後側領域と、を有し、前記中央領域には、前記幅方向に間隔を空け、かつ前記前後方向に延びる一対の前後エンボス部が設けられ、前記前側領域及び前記後側領域には、前記線エンボス部と前記図柄エンボス部が設けられており、前記線エンボス部及び前記図柄エンボス部は、前記前後エンボス部の前記前後方向の端縁から前記前後方向に延びる仮想線上に配置されてよい。
【００３１】
吸収性物品の前後方向の中央に排出された体液を前後エンボス部によって前後方向に拡散できる。前後エンボス部の前後方向の端縁に到達した体液は、当該端縁から前後方向の外側に拡散する。前後エンボス部の前後方向の端縁から前後方向に延びる仮想線上に体液を導き易く、当該仮想線上に配置された線エンボス部及び図柄エンボス部に体液を導き易くなる。
【００３２】
好ましい一態様によれば、前記後側領域における前記エンボス部の最大寸法は、前記前側領域の前記エンボス部の最大寸法よりも大きくてよい。
【００３３】
前側領域は、装着時及び交換時に使用者の視界に入りやすく、比較的小さい寸法であっても使用者が把握し易い。また、後側領域は、装着時及び交換時に使用者の視界に入り難いが、寸法を比較的大きくすることで目立ちやすくなる。加えて、後側領域の最大寸法が大きいため、後側に流れる体液を引き込み、後漏れを抑制できる。
【００３４】
（２）吸収性物品の構成
以下、図面を参照して、実施形態に係る吸収性物品ついて説明する。吸収性物品は、生理用ナプキン、パンティライナー、母乳パッド、大人用失禁パッド、糞便パッド又は汗取りシートのような吸収性物品であってよい。特に、吸収性物品は、使用者の下着のような着用物品の内側に取り付けられて使用される物品であってよい。
【００３５】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００３６】
図１は、肌面側から見た第１実施形態に係る吸収性物品１の平面図である。ここで、「肌面側」は、使用中に着用者の肌に面する側に相当する。「非肌面側」は、使用中に着用者の肌とは反対に向けられる側に相当する。図２は、図１に示すＦ−Ｆ線に沿った断面図であり、図３は、図１に示すＡ部分の拡大図であり、図４は、図１に示すＢ部分の拡大図である。図５は、図４に示すＣ―Ｃ線に沿った断面図であり、図６は、図５に示すＤ−Ｄ線に沿った断面図である。なお、図２においては、説明の便宜上、後述する線エンボス部を省略している。
【００３７】
吸収性物品１は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。
【００３８】
吸収性物品１は、前側領域Ｒ１と、後側領域Ｒ２と、中央領域Ｒ３と、を含む。中央領域Ｒ３は、吸収性物品の前後方向の中心を跨いで配置されており、着用者の排泄口（例えば膣口）に対向する排泄口当接部を含む。吸収性物品１が下着に装着されたときに、中央領域Ｒ３は、下着の股下部に位置し、着用者の股下、すなわち着用者の両足の間に配置される領域である。
【００３９】
前側領域Ｒ１は、中央領域Ｒ３よりも前側に位置する。前側領域Ｒ１の前端縁は、吸収性物品１の前端縁を規定する。後側領域Ｒ２は、中央領域Ｒ３よりも後側に位置する。後側領域Ｒ２の後端縁は、吸収性物品１の後端縁を規定する。
【００４０】
中央領域Ｒ３には、ウイング３が設けられていてよい。また、後側領域Ｒ２には、幅方向Ｗの外側に膨らんだヒップフラップが設けられていてもよい。ウイング３の前端縁は、ウイング３の付け根によって規定されており、最も幅方向Ｗの内側に窪んだ２つの部分のうち、前側に位置する部分に相当する。ウイング３の前端縁は、中央領域Ｒ３と前側領域Ｒ１との境界を規定していてもよい。ウイング３の後端縁は、ウイング３の付け根によって規定されており、最も幅方向Ｗの内側に窪んだ２つの部分のうち、後側に位置する部分に相当する。ウイング３の後端縁は、中央領域Ｒ３と後側領域Ｒ２との境界を規定していてもよい。
【００４１】
吸収性物品１は、着用者の肌に向けられるトップシート１０と、着用者の肌とは反対側に向けられるバックシート２０と、トップシート１０とバックシート２０の間に配置された吸収コア３１と、を含む。トップシート１０は、吸収コア３１よりも肌面側Ｔ１に設けられる。バックシート２０は、吸収コア３１よりも非肌面側Ｔ２に設けられる。吸収コア３１は、トップシート１０とバックシート２０との間に設けられる。
【００４２】
トップシート１０は、幅方向Ｗにおける吸収コア３１の中央部を覆ってよい。トップシート１０は、前側領域Ｒ１から後側領域Ｒ２まで前後方向Ｌに延びていてよい。トップシート１０は、センターシート１１と、センターシートよりも幅方向Ｗの外側に配置されたサイドシート１２と、延出シート１３と、を有してよい。サイドシート１２は、センターシート１１よりも非肌面側に配置されてよい。
【００４３】
センターシート１１は、非熱融着性繊維を含む。非熱融着性繊維は、コットン繊維を例示できる。センターシート１１は、非熱融着性繊維の交絡によって形成されている。コットン繊維の繊維径は、０．７〜１．５Ｄｔｅｘであってよく、コットン繊維の繊維長は、５〜３５ｍｍであってよい。センターシート１１は、コットン不織布を例示できる。コットン不織布の目付は、30ｇ／ｍ2であってよい。また、センターシート１１は、２層構造であってもよい。より詳細には、コットン繊維１００％の上層と、コットン繊維６０％と熱融着性繊維４０％の下層と、の積層シートによって構成されてよい。センターシート１１の破断伸度は、繊維の配向方向に沿った強度が３０〜７０Ｎ/25mmであってよく、繊維の配向方向と直交方向の強度が５〜１０Ｎ/25mmであってよい。
【００４４】
サイドシート１２は、熱融着性繊維を含む。サイドシート１２は、熱融着性繊維の融着によって形成されている。サイドシート１２は、非肌面側Ｔ２に折り返されていない非折り返し部と、サイドシート１２の外側縁１２Ｅにおいて非肌面側Ｔ２に向かって折り返された折り返し部と、を有する。サイドシート１２の折り返し部は、延出シート１３に接合されている。
【００４５】
延出シート１３は、センターシート１１及びサイドシート１２よりも幅方向の外側に延びてよい。延出シート１３は、センターシート１１及びサイドシート１２の非肌面側Ｔ２に配置されており、センターシート１１及びサイドシート１２を覆っていない。
【００４６】
バックシート２０は、液不透過性のシートである。バックシート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００４７】
吸収コア３１は、少なくとも中央領域Ｒ３及び後側領域Ｒ２に配置される。また、吸収コア３１は、中央領域Ｒ３から前側領域Ｒ１まで延びていてもよい。吸収コア３１は、液体を吸収する吸収材料を含む。吸収コア３１は、コアラップによって包まれていてもよい。吸収コア３１を構成する吸収材料は、例えば、親水性繊維、パルプ及び高吸水性高分子（ＳＡＰ）から形成できる。吸収コア３１には、吸収材料の坪量が高い項坪量部や、坪量が低い低坪量部（スリットを含む）が形成されていてもよい。コアラップは、例えば不織布やティッシュシートから構成することができる。
【００４８】
前述したように、吸収性物品１は、ウイング３を有する。ウイング３は、中央領域Ｒ３における吸収コア３１の外側縁よりも幅方向Ｗの外側に延出している。ウイング３は、トップシート１０とバックシート２０との積層によって構成されていてよい。ウイング３は、バックシート２０側に折り返し可能に構成されている。ウイング３は、使用時に下着のクロッチ部の非肌面側に折り返される。
【００４９】
吸収性物品１は、少なくともトップシート１０と吸収コア３１を厚さ方向に圧縮したエンボス部６０を有する。エンボス部６０は、少なくともトップシート１０と吸収コア３１が圧縮されていればよく、これら以外のシート（例えば、コアラップ）も圧縮されていてもよい。図５及び図６に示すように、エンボス部６０は、肌面側Ｔ１から非肌面側Ｔ２に凹んでいる。エンボス部６０は、図１に示すように、線エンボス部６１と、図柄エンボス部６２と、前後エンボス部６５と、を有する。前後エンボス部６５は、少なくとも中央領域に配置されている。前後エンボス部６５は、前後方向に延びており、幅方向に間隔を空けて一対で設けられている。前後エンボス部６５は、前側領域Ｒ１及び後側領域Ｒ２にも設けられていてもよい。線エンボス部６１及び図柄エンボス部６２は、前側領域Ｒ１と後側領域Ｒ２のうち少なくともいずれか一方に配置されてよく、中央領域Ｒ３に配置されていてもよい。本実施の形態では、前側領域Ｒ１及び後側領域Ｒ２に、線エンボス部６１と図柄エンボス部６２が設けられている。
【００５０】
図３に示すように、線エンボス部６１は、平面視にて、直線状又は曲線状の線状に延びている。線エンボス部６１は、ラインが延びる延出方向Ｅと、延出方向と直交する直交方向Ｃと、を有してよい。線エンボス部６１の幅は、直交方向Ｃにおける長さとなる。延出方向Ｅは、線エンボス部６１全体において一定でなく、部分的に角度が変化してよい。図柄エンボス部６２は、文字、記号及び絵柄の少なくなくともいずれかを含む図柄６２Ｃによって吸収性物品の情報を示している。図柄エンボス部６２は、図柄６２Ｃの集合体であってもよいし、１個の図柄６２Ｃによって構成されていてもよい。より好ましくは、図柄エンボス部６２は、２個以上の図柄６２Ｃによって構成されている。文字、記号及び絵柄の少なくともいずれからなる図柄６２Ｃが２個以上存在することにより、使用者の興味を連続して引きつけやすく、エンボス部による情報に対してより引きつけやすくなる。線エンボス部６１は、図柄エンボス部６２によって示す情報に関連する関連図柄の形状を有する。線エンボス部６１は、その外形が絵側を示すように構成されていてもよいし、その外形が文字及び記号を示すように構成されていてもよい。
【００５１】
吸収性物品に排出された体液は、エンボス部６０に導かれ、エンボス部６０内を拡散しつつ吸収コア３１に導かれる。このとき、線エンボス部６１に体液が到達すると、線エンボス部６１内を体液が拡散する。線エンボス部６１の外形によって吸収性物品の情報を示すことができる。体液がエンボス部６０内を徐々に拡散する課程では、情報を段階的に示すことができ、使用者の興味や注意を引くことができる。また、図柄エンボス部６２に体液が到達すると、図柄エンボス部６２の図柄６２Ｃが目立ち、吸収性物品の情報を直ぐに示すことができる。よって、エンボス部６０の全体に体液が拡散せずに、全てのエンボス部６０が目立たない状態であっても、図柄エンボス部６２が目立たったり、線エンボス部６１が徐々に目立ったりして、エンボス部６０によって示す情報を使用者がより把握し易い。
【００５２】
図柄エンボス部６２及び線エンボス部６１によって示す吸収性物品の情報は、吸収性物品の材質、用途、機能を含む。例えば、本実施の形態の図柄エンボス部６２は、トップシートが有するコットン繊維を示す「ｃｏｔｔｏｎ」の文字の図柄６２Ｃの集合体によって構成されている。本実施の形態の線エンボス部６１は、コットン繊維を示すコットンの綿花の外形を有する。図柄エンボス部６２と線エンボス部６１によって、吸収性物品にコットンを有する吸収性物品であることを示すことができる。肌に触れるトップシートの素材をトップシート上の図柄エンボス部によって表示できる。使用者は、視覚による図柄の情報と、触覚によるトップシートの触り心地と、によってコットン繊維を有する吸収性物品であることを把握できる。
【００５３】
その他の形態として、機能性材料としての冷感剤を含む吸収性物品においては、図柄エンボス部６２が冷感機能を示す「ＣＯＯＬ」の文字の図柄を含み、線エンボス部６１が冷感を想起させる雪の結晶の外形であってよい。この形態によれば、着用者が直感的に冷感を想起できる。当該冷感機能は、冷感剤の原材料を示す文字（例えば、キュウリエキス、ミント、ユーカリ、ナツメグ、植物由来の精油など）であってよい。他の形態として、機能性材料としての温感剤を含む吸収性物品においては、温かいものを想起する文字、絵柄及び形状を示すように構成してよい。
【００５４】
また、その他の形態として、機能性材料としての香料を含む吸収性物品においては、図柄エンボス部６２及び線エンボス部６１が香料の香り（例えば、バラ、ハーブ、漢方）を示す文字、記号又は絵柄を示すように構成されていてもよく、機能性材料としての抗菌剤又は消臭剤を含む吸収性物品においては、図柄エンボス部６２及び線エンボス部６１が当該材料の機能または関連する情報を示してよい。または、線エンボス部６１及び図柄エンボス部によって、昼用の吸収性物品、着用対象の月齢等、吸収性物品の用途を示すように構成されていてもよい。
【００５５】
図柄エンボス部６２は、平面視にて、線エンボス部６１内に配置されてよい。線エンボス部６１内を体液が拡散する課程で、図柄エンボス部６２に体液を導くことができる。線エンボス部６１の全体に亘って体液が導かれない場合であっても、線エンボス部６１内の図柄エンボス部６２によって情報を示すことができ、使用者がエンボス部６０よって示す情報をより把握し易い。なお、図柄エンボス部６２の少なくとも一部が、線エンボス部６１内に配置されていてもよいし、本実施の形態のように、図柄エンボス部６２の全体が線エンボス部６１内に配置されていてもよい。また、他の形態において、図柄エンボス部６２と線エンボス部６１が平面視にて離間していてもよい。
【００５６】
線エンボス部６１の幅は、一定であってもよいし、変化していてもよい。線エンボス部６１内の図柄エンボス部６２の視認性を確保するために、図柄エンボス部６２が配置された領域の線エンボス部の幅が、図柄エンボス部が配置されていない領域の線エンボス部の幅よりも長くてもよい。
【００５７】
図５に示すように、図柄エンボス部６２の深さＤ６２と、線エンボス部６１の深さＤ６１と、は、異なってよい。当該深さは、各エンボス部の底部(最も非肌面側に位置する部分)とエンボス部が形成されていない領域のトップシートの肌面との厚さ方向Ｔの距離である。線エンボス部６１の深さＤ６１と図柄エンボス部６２の深さＤ６２とが異なるため、奥行き感が生じ、使用者の興味や注意を引くことができる。また、線エンボス部６１内に図柄エンボス部６２が配置される形態にあっては、線エンボス部６１全体に亘って体液が拡散した場合であっても、線エンボス部６１と図柄エンボス部６２とを区別して示しやすく、図柄エンボス部６２を目立たせることができる。使用者は、図柄エンボス部６２によって示す情報をより把握し易い。
【００５８】
図柄エンボス部６２は、線エンボス部６１の底面に形成された高圧搾部であってよい。線エンボス部６１は、圧搾の程度が低い低圧搾部によって構成され、図柄エンボス部６２は、圧搾の程度が高い高圧搾部によって構成されてよい。図柄エンボス部６２が高圧搾部であるため、線エンボス部６１から図柄エンボス部６２に体液を引きこみ易く、図柄エンボス部６２に体液をより導き、図柄エンボス部６２を目立たせることができる。
【００５９】
図柄エンボス部６２の図柄６２Ｃは、間隔を空けて複数配置されてよい。トップシートの繊維の繊維長は、図柄６２Ｃの間隔よりも長くてよい。トップシートの繊維によって体液を拡散し、複数の図柄に体液を導くことができる。複数の図柄６２Ｃに体液を導くことにより、図柄６２Ｃ全体によって１つの情報を示す場合であっても、当該情報を使用者に示すことができる。
【００６０】
図柄エンボス部６２の図柄６２Ｃの最大長さは、１ｍｍ以上３ｍｍ以下であってよい。最大長さは、図柄６２Ｃの上下方向Ｄ１における最大長さであってもよいし、図柄６２Ｃの左右方向Ｄ２における最大長さであってもよい。図４に示すように、図柄６２Ｃの上下方向Ｄ１は、図柄６２Ｃによって示す文字等の上下方向であり、図柄６２Ｃの左右方向Ｄ２は、上下方向Ｄ１と直交する方向である。図柄６２Ｃは、最大長さが１ｍｍ以上３ｍｍであるため、使用者は、小さい図柄を一見して視認し難い。しかし、一見して気づき難い分、気づいた際の喜びや印象が強くなり易く、友人等とその気づきを共有することもできる。その結果、その結果、吸収性物品としての生理用ナプキンにあっては、生理のイメージを向上させたり、使用者の生理の不快感を低減できたりする。
【００６１】
図３に示すように、図柄エンボス部６２の図柄６２Ｃの間隔Ｇ６２は、図柄エンボス部６２の図柄６２Ｃの最大長さＭ６２よりも短くてよい。図柄６２Ｃ同士を一体化して示すことができ、使用者は、一体の図柄の集合体として認識し易くなる。
【００６２】
図４に示すように、図柄エンボス部６２の図柄６２Ｃは、左右方向Ｄ２に隣り合うように配置されてよい。線エンボス部は、前記左右方向に沿って延びている。好適には、線エンボス部６１内に図柄エンボス部６２が配置された領域において、線エンボス部６１の延出方向Ｅは、図柄６２Ｃが隣り合う方向に沿っていてよい。線エンボス部６１に導かれた体液は、線エンボス部６１が延びる延出方向Ｅに拡散し易い。体液の拡散方向に沿って、図柄６２Ｃが並んでいるため、図柄エンボス部６２による文字等の全体に体液を導き易い。また、線エンボス部６１の延出方向Ｅに沿って図柄６２Ｃが並んでいるため、図柄エンボス部６２の図柄６２Ｃによる文字などを使用者が把握し易くなる。
【００６３】
また、他の形態において、図柄６２Ｃは、図柄６２Ｃの上下方向Ｄ１において隣り合うように配置され、線エンボス部６１は、図柄の上下方向Ｄ１に沿って延びてよい。この構成においても、線エンボス部６１の延出方向Ｅに沿って図柄６２Ｃが並んでいるため、図柄エンボス部６２の図柄６２Ｃによる文字などを使用者が把握し易くなる。
【００６４】
トップシート１０は、熱可塑性樹脂繊維とコットン繊維を有してよい。コットン繊維と熱可塑性繊維を有するトップシートにエンボス部を形成すると、熱可塑性繊維が融着し、かつコットン繊維が融着しないため、繊維が融着した部分と融着していない部分とが形成される。エンボス部内に融着の有無による凹凸が形成され、エンボス部を目立たせ、使用者がエンボス部よって示す情報をより把握し易くなる。
【００６５】
図６に示すように、直交方向Ｃに沿った断面において、線エンボス部６１は、底部６１３と、底部の一端から肌面側Ｔ１に延びる第１壁部６１１と、底部６１３の他端から肌面側Ｔ１に延びる第２壁部６１２と、を有し、第１壁部６１１と底部６１３とがなす第１角度θ１は、第２壁部６１２と底部６１３とがなす第２角度θ２よりも大きくてよい。底部６１３の一端及び他端は、底部６１３の直交方向Ｃにおける端縁である。第１角度θ１と第２角度θ２が異なっていることにより、体液吸収時における第１壁部６１１側の濃さと第２壁部６１２側の濃さとが異なる。具体的には、第１壁部６１１側は、第１角度θ１が大きく、第１壁部６１１と底部６１３の間により体液が集まり易く、平面視にて濃くなり易い。線エンボス部６１の第１壁部６１１側の濃さと第２壁部６１２側の濃さとが異なるため、線エンボス部６１内で陰影ができる。線エンボス部６１を目立たせるとともに、線エンボス部６１内の図柄エンボス部６２をより目立たせることができる。
【００６６】
図１に示すように、線エンボス部６１及び図柄エンボス部６２は、前後エンボス部６５の前後方向の端縁から前後方向に延びる仮想線ＶＬ上に配置されてよい。本実施の形態では、前後エンボス部６５の後端縁６５Ｒから前後方向Ｌに沿って後側に延びる仮想線ＶＬ上に、後側領域Ｒ２の線エンボス部６１及び図柄エンボス部６２が配置されている。吸収性物品の前後方向の中央に排出された体液を前後エンボス部６５によって前後方向Ｌに拡散できる。前後エンボス部６５の前後方向Ｌの端縁に到達した体液は、当該端縁から前後方向Ｌの外側に拡散する。前後エンボス部６５の前後方向Ｌの端縁から前後方向に延びる仮想線ＶＬ上に体液を導き易く、当該仮想線ＶＬ上に配置された線エンボス部及び図柄エンボス部に体液を導き易くなる。
【００６７】
前記後側領域における前記エンボス部の最大寸法は、前側領域の前記エンボス部の最大寸法よりも大きくてよい。前側領域は、装着時及び交換時に使用者の視界に入りやすく、比較的小さい寸法であっても使用者が把握し易い。また、後側領域は、装着時及び交換時に使用者の視界に入り難いが、寸法を比較的大きくすることで目立ちやすくなる。加えて、後側領域の最大寸法が大きいため、後側に流れる体液を引き込み、後漏れを抑制できる。
【００６８】
以上、上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【産業上の利用可能性】
【００６９】
使用者がエンボス部によって示す情報をより把握し易い吸収性物品を提供できる。
【符号の説明】
【００７０】
１       吸収性物品
１０    トップシート
２０    バックシート
３１    吸収コア
６０    エンボス部
６１    線エンボス部
６１１  第１壁部
６１２  第２壁部
６１３  底部
６２    図柄エンボス部
θ１    第１角度
θ２    第２角度
６５    前後エンボス部
Ｌ      前後方向
Ｗ      幅方向
Ｔ      厚さ方向
Ｅ      延出方向
Ｃ      直交方向
Ｒ１    前側領域
Ｒ２    後側領域
Ｒ３    中央領域
【図１】
0003219701.tif 000003
【図２】
0003219701.tif 000004
【図３】
0003219701.tif 000005
【図４】
0003219701.tif 000006
【図５】
0003219701.tif 000007
【図６】
0003219701.tif 000008